(57)【要約】      （修正有）【課題】浴槽などの水中に入れ、活性水素を発生させて、水（湯）を効果的に活性化する装置を提供する。【解決手段】有底短筒形状の基部１１から下拡截頭錐体状の胴部１２を立設し、胴部１２の上端開口部に連通して略球状の頭部１３を設け、内部を偏心縦壁１４で左右に二分して、小左室１５と大右室１６を形成し、左室１５に通水開口部１７を形成し、右室１６を密閉して装置本体１０を形成する。基部１１の下面から垂下設した脚２０と、基部１１の下面から露出し、脚２０より垂下長さの短い水感知センサー２１と、左室１５に収納された電極コア２２と、右室１６に収納されたバッテリー２３と、右室１６に収納された制御盤２４と、頭部１３に内蔵され、水感知センサー２１がオンの状態で発光する第一ランプ２５を設ける。水中において、頭部１３の上部が水面から露出する浮力を与える。【選択図】図２
0003143019.tif 000002
【実用新案登録請求の範囲】
【請求項１】
浴槽や水槽などの水中に入れた状態で，その水を電気分解して活性水素を発生させ，それによって活性水素水を作り出す装置であって、有底短筒形状の基部（１１）から下拡截頭錐体状の胴部（１２）を立設し，前記胴部の上端開口部に連通して略球状の頭部（１３）を設け，内部を偏心縦壁（１４）で左右に二分して，小左室（１５）と，前記頭部を含む大右室（１６）を形成し，前記左室に通水開口部（１７）を形成すると共に，前記右室を密閉した装置本体（１０）と、前記基部の下面から垂下設した，少なくとも３片の脚（２０）と、
前記基部の下面から露出し，前記脚より垂下長さの短い水感知センサー（２１）と、前記左室に収納され，互い違いに平行させて配置した複数の陽極と陰極の電極棒（２２ａ）によって形成した電極コア（２２）と、前記右室に収納され，前記電極コアに接続されたバッテリー（２３）と、前気右室に収納され，電気的制御を行う制御盤（２４）と、前記装置本体の頭部に内蔵されると共に，前記バッテリーに接続され，前記水感知センサーがオンの状態で発光する第一ランプ（２５）と、を備え、前記水中において，前記頭部の上部が水面（Ｗ）から露出する浮力を備える水中用活性水素水発生装置。
【請求項２】
浴槽や水槽などの水中に入れた状態で，その水を電気分解して活性水素を発生させ，それによって活性水素水を作り出す装置であって、有底短筒形状の基部（１１）から下拡截頭錐体状の胴部（１２）を立設し，前記胴部の上端開口部に連通して略球状の頭部（１３）を設け，内部を偏心縦壁（１４）で左右に二分して，小左室（１５）と，前記頭部を含む大右室（１６）を形成し，前記左室に通水開口部（１７）を形成すると共に，前記右室を密閉した装置本体（１０）と、前記基部の下面から垂下設した，少なくとも３片の脚（２０）と、前記基部の下面から露出し，前記脚より垂下長さの短い水感知センサー（２１）と、前記左室に収納され，互い違いに平行させて同一平面上で複数列且つ複数段配置した陽極と陰極の電極棒（２２ａ）によって形成した電極コア（２２）と、前記右室に収納され，前記電極コアに接続されたバッテリー（２３）と、前気右室に収納され，電気的制御を行う制御盤（２４）と、前記装置本体の頭部に内蔵されると共に，前記バッテリーに接続され，前記水感知センサーがオンの状態で発光する第一ランプ（２５）と、を備え、前記水中において，前記頭部の上部が水面（Ｗ）から露出する浮力を備え、前記電極棒を，棒状のチタンに白金メッキを被覆して形成し、前記装置本体の右室の一部にキャップ（１９）が螺合する，充電用の開口筒部（１８）を形成し、前記縦壁に，前記バッテリーに接続した第二ランプ（２６）を取付け、前記電極コアと前記第一ランプおよび第二ランプをタイマー（２７）に接続してなる水中用活性水素水発生装置。
【考案の詳細な説明】
【技術分野】
【０００１】
本考案は、浴槽や水槽などの水中に入れ、活性水素を発生させることによって、その水（湯を含む）を活性化させるための装置に関するものである。
【背景技術】
【０００２】
従来から、水道水などのいわゆる通常の水を電気分解して活性水素水を作る技術が存在する。この技術を利用した装置は、水道の蛇口近傍などに取付けられ、主として飲料水となる活性水素水を作るものである。
【考案の開示】
【考案が解決しようとする課題】
【０００３】
しかし、活性水素水を作る技術を利用して、浴槽や水槽などの水を活性化させる技術は、これまで存在しない。また、従来の装置を、そのまま浴槽などに入れて水（湯）を活性化するために使用することはできない。本考案者らは、こうした点に着目し、当該技術を利用して、浴槽や水槽などの水を活性化させることのできる装置を考案し、その実用化に向けて開発を進めてきた。その結果、実際に使用できる装置を完成するに至った。
【０００４】
本考案は、活性水素水を作る技術によって、浴槽や水槽などの水中に入れて使用し、活性水素を発生させることによって、水（湯）を効果的に活性化することのできる装置を提供することを課題とする。
【課題を解決するための手段】
【０００５】
［用語の定義］下拡截頭錐体とは、下側に広がり部を持つ截頭円錐体または截頭角錐体を言う（錐体；広辞苑第六版）。
【０００６】
図１乃至図５を参照して説明する。請求項１に記載の活性水素水発生装置１は、浴槽や水槽などの水中に入れた状態で、その水を電気分解して活性水素を発生させ、それによって活性水素水を作り出すものである。
【０００７】
この装置１は、有底短筒形状の基部１１から下拡截頭錐体状の胴部１２を立設し、前記胴部１２の上端開口部に連通して略球状の頭部１３を設け、内部を偏心縦壁１４で左右に二分して、小左室１５と、前記頭部１３を含む大右室１６を形成し、前記左室１５に通水開口部１７を形成すると共に、前記右室１６を密閉した装置本体１０を備える。
【０００８】
また、前記基部１１の下面から垂下設した、少なくとも３片の脚２０と、前記基部１１の下面から露出し、前記脚２０より垂下長さの短い水感知センサー２１と、前記左室１５に収納され、互い違いに平行させて配置した複数の陽極と陰極の電極棒２２ａによって形成した電極コア２２と、前記右室１６に収納され、前記電極コア２２に接続されたバッテリー２３と、前記右室１６に収納され、電気的制御を行う制御盤２４と、前記装置本体１０の頭部１３に内蔵されると共に、前記バッテリー２３に接続され、前記水感知センサー２１がオンの状態で発光する第一ランプ２５と、を備える。そして、水中において、前記頭部１３の上部が水面Ｗから露出する浮力を備える。
【０００９】
請求項２に記載の水中用活性水素水発生装置１は、浴槽や水槽などの水中に入れた状態で、その水を電気分解して活性水素を発生させ、それによって活性水素水を作り出すものである。
【００１０】
この装置１は、有底短筒形状の基部１１から下拡截頭錐体状の胴部１２を立設し、前記胴部１２の上端開口部に連通して略球状の頭部１３を設け、内部を偏心縦壁１４で左右に二分して、小左室１５と、前記頭部１３を含む大右室１６を形成し、前記左室１５に通水開口部１７を形成すると共に、前記右室１６を密閉した装置本体１０を備える。
【００１１】
また、前記基部１１の下面から垂下設した、少なくとも３片の脚２０と、前記基部１１の下面から露出し、前記脚２０より垂下長さの短い水感知センサー２１と、前記左室１５に収納され、互い違いに同一平面上で複数列且つ複数段配置した陽極と陰極の電極棒２２ａによって形成した電極コア２２と、前記右室１６に収納され、前記電極コア２２に接続されたバッテリー２３と、前記右室１６に収納され、電気的制御を行う制御盤２４と、前記装置本体１０の頭部１３に内蔵されると共に、前記バッテリー２３に接続され、前記水感知センサー２１がオンの状態で発光する第一ランプ２５と、を備える。そして、前記水中において、前記頭部１３の上部が水面Ｗから露出する浮力を備える。
【００１２】
また、この装置１は、前記電極棒２２ａを、棒状のチタンに白金メッキを被覆して形成し、前記装置本体１０の右室１６の一部にキャップ１９が螺合する、充電用の開口筒部１８を形成し、前記縦壁１４に、前記バッテリー２３に接続した第二ランプ２６を取付け、さらに、前記電極コア２２と前記第一ランプ２５および第二ランプをタイマー２７に接続している。
【考案の効果】
【００１３】
請求項１に記載の水中用活性水素発生装置１は、前記した構成としているので、浴槽、池、魚用水槽などのあらゆる水を効果的に活性化することができる。すなわち、この装置１を浴槽や水槽などの水中に入れると、水感知センサー２１が水を感知し、それによりバッテリー２３から電極コア２２に電力が供給され、陽極の電極棒２２ａと陰極の電極棒２２ａとの間に、電解膜を挟んで、電気が流れ、水が電気分解される。この電気分解によって活性水素が発生し、水が活性水素水となる。
【００１４】
なお、この水の電気分解は、電極コア２２を、通水開口部１７を有する左室１５に設け、その左室１５に水が自由に進入できるように形成したことで円滑に行われる。また、バッテリー２３や制御盤２４を密閉された右室１６に収納して水との接触を避けていることにもよる。
【００１５】
なお、電極コア２２による電気分解が行われている際には、第一ランプ２５にバッテリー２３から電力が供給され、発光する。また、この装置１は、その頭部１３の上部が水面Ｗから露出する浮力を備えているので、浴槽などの水の量が多い場合は浮かんだ状態となる。従って、第一ランプ２５を容易に視認することができ、電極コア２２がオンであるかオフであるかを容易に確認することができる。
【００１６】
また、浴槽などの水の量が少ない場合は、その底面に置かれた状態となる。この場合、水感知センサー２１の垂下長さを、脚２０のそれより短く設定しているので、水感知センサー２１が底面に接触して損傷することがない。非使用時において、床面などに置く場合も同様である。
【００１７】
請求項２に記載の水中用活性水素発生装置１は、請求項１に記載の考案と同様の効果を発揮する。また、電極棒２２ａを、棒状のチタンに白金メッキを被覆して形成しているので耐久性に優れる。また、右室１６の一部に開口筒部１８を形成しているので、ここからバッテリー２３の充電を行うことができる。なお、この開口筒部１８は、キャップ１９が螺合するものであり、キャップ１９を螺合した状態では、右室１６を密閉状態とすることができる。
【００１８】
また、縦壁１４に第二ランプ２６を設けているので、この第二ランプ２６によっても電極コア２２がオンであるか否かを視認することができる。さらに、電極コア２２、第一ランプ２５および第二ランプ２６にタイマー２７を接続しているので、一定時間経過後に、それらを自動的にオフ状態とすることができる。
【考案を実施するための最良の形態】
【００１９】
本考案に係る水中用活性水素水発生装置１の実施形態を、図１乃至図５に示す。この装置１は、浴槽の水（湯）中に入れた状態で、浴槽内の水を電気分解して活性水素を発生させ、それによって浴槽内の水を活性水素水とするものである。この装置１は、装置本体１０、脚２０、水感知センサー２１、電極コア２２、バッテリー２３、制御盤２４、第一ランプ２５、第二ランプ２６、およびタイマー２７を備える。なお、図２において、符号Ｌはリード線を示す。
【００２０】
装置本体１０は、有底短筒形状の基部１１から下拡截頭錐体状の胴部１２を立設し、胴部１２の上端開口部に連通して略球状の頭部１３を設けて構成している。また、装置本体１０の内部を垂直状に設けた偏心縦壁１４で左右に二分して、基部１１と胴部１２の左端部側部分で形成した小左室１５と、基部１１と胴部１２の右側部分と頭部１３の全体を含めて形成した大右室１６を設けている。さらに、左室１５に通水開口部１７を形成して水の自由な出入りを可能とし、また、右室１６は密閉している。なお、右室１６の底板は、底から順に、繊維強化プラッスチック（ＦＲＰ）１６ａ、ステンレス（ＳＵＳ）１６ｂ、パッキン（ゴム）１６ｃ、ステンレス（ＳＵＳ）１６ｄの各層を設けて構成し、水密性を確保している。
【００２１】
脚２０は、基部１１の下面から垂下設した３片の脚２０を、同一間隔を空けて配置している。水感知センサー２１は、基部１１の下面から露出させ、かつ、脚２０より短い垂下長さに設定している。電極コア２２は、左室１５に収納し、互い違いに平行させて同一平面上で複数列且つ上下方向に複数段配置した陽極と陰極の電極棒２２ａによって形成している。
【００２２】
液密キャップ１９を開け、開口筒部１８を通じて内部のコンセント２３ａを介して充電するようにしたバッテリー２３は、右室１６に収納し、電極コア２２と電気的に接続している。なお、本実施形態におけるバッテリー２３は、１２ボルトのものを使用している。制御盤２４は、電気的制御を自動的に行うもので、同じく右室１６に収納している。第一ランプ２５は、装置本体１０の頭部１３に内蔵すると共に、バッテリー２３に電気的に接続し、水感知センサー２１がオンの状態で発光するようにしている。なお、第一ランプ２５は、頭部１３に固定した透明体（透明ガラスや透明樹脂など）１３ａに取付けている。第二ランプ２６は、縦壁１４を貫通させた状態で取付け、バッテリー２３に電気的に接続している。そして、タイマー２７は、右室１６に収納し、電極コア２２、第一ランプ２５、第二ランプ２６に電気的に接続している。なお、第一ランプ２５と第二ランプ２６は、発光ダイオード（ＬＥＤ）で構成している。
【００２３】
なお、本実施形態における装置１は、浴槽などにおいて、水（湯）の量が多い場合には、その頭部１３の上部が水面Ｗから露出する程度の浮力を備える。この浮力は、密閉状態とした右室１６の空気によって確保している。さらに、本実施形態では、各電極棒２２ａを、棒状のチタンに白金メッキを被覆して形成している。また、装置本体１０の右室１６の一部にキャップ１９が螺合する、充電用の開口筒部１８を形成している。
【００２４】
本実施形態に係る水中用活性水素発生装置１は、次のようにして使用することができる。まず、この装置１を例えば浴槽に入れる。この場合、浴槽の水（湯）が多いと、当該装置１はその頭部１３の上部を水面Ｗから露出した状態で浮く。
【００２５】
浴槽に入れられた装置１は、その水感知センサー２１が浴槽内の水を感知し、それに基づく制御盤２４の信号によって、バッテリー２３から電極コア２２に電力が供給される。これによって、陽極の電極棒２２ａと陰極の電極棒２２ａとの間に、電解膜を挟んで、電気が流れ、水が電気分解され、この電気分解によって活性水素が発生し、浴槽の水が活性水素水となる。
【００２６】
このとき、電極コア２２は、通水開口部１７を有する左室１５に設けられているので、その左室１５に水が自由に進入し、よって水を円滑に電気分解することができる。なお、バッテリー２３や制御盤２４は、密閉された右室１６に収納されて水と接触しない。
【００２７】
また、電極コア２２による電気分解が行われている際には、第一ランプ２５および第二ランプ２６にバッテリー２３から電力が供給されて発光する。従って、この装置１が作動していることを容易に視認することができる。なお、第一ランプ２５は透明体１３ａに取付けられているので、外から容易に視覚することができる。また、第二ランプ２６は、縦壁１４を貫通させた状態で取付けているので、通水開口部１７から容易に視認することができる。
【００２８】
なお、浴槽の水が少ない場合は、当該装置１は、浴槽の底に置かれた状態となる。この場合、水感知センサー２１の垂下長さを、脚２０のそれより短く設定しているので、水感知センサー２１が浴槽の底に突き当たって損傷することがない。これは、非使用時に、この装置１を床面などに置く場合も同じである。
【００２９】
また、本実施形態では、各電極棒２２ａを、棒状のチタンに白金メッキを被覆して形成しているので耐久性の向上を図ることができる。また、右室１６の一部に開口筒部１８を形成しているので、ここから充電することができる。この開口筒部１８は、キャップ１９を螺合することによって閉じられ、これにより、右室１６を密閉状態とすることができる。
【００３０】
さらに、本実施形態では、電極コア２２、第一ランプ２５および第二ランプ２６にタイマー２７を接続しているので、一定時間（例えば、１０分）経過した後に、それらを自動的にオフ状態とすることができる。これによって、適宜、必要量の活性水素水を発生させることができる。
【００３１】
なお、本考案に係る水素水発生装置１０は、浴槽での使用に限定されるものではなく、例えば、魚用の池や水槽など、あらゆる水中において使用して、その水を活性化することができる。
【図面の簡単な説明】
【００３２】
【図１】本考案に係る装置の実施形態を示す正面図である。
【図２】図１に示す装置の側面断面図である。
【図３】図２の半底面図である。
【図４】図３のＸ−Ｘ線断面図である。
【図５】図４のＹ部拡大図である。
【図６】原理的電気回路図である。
【符号の説明】
【００３３】
１        水中用活性水素発生装置
１０      装置本体
１１      基部
１２      胴部
１３      頭部
１３ａ    透明体
１４      縦壁
１５      左室
１６      右室
１６ａ    繊維強化プラスチック層
１６ｂ    ステンレス層
１６ｃ    パッキン
１６ｄ    ステンレス層
１７      通水開口部
１８      開口筒部
１９      キャップ
２０      脚
２１      水感知センサー
２２      電極コア
２２ａ    電極棒
２３      バッテリー
２３ａ    コンセント
２４      制御盤
２５      第一ランプ
２６      第二ランプ
２７      タイマー
Ｌ        リード線
Ｗ        水面
【図１】
0003143019.tif 000003
【図２】
0003143019.tif 000004
【図３】
0003143019.tif 000005
【図４】
0003143019.tif 000006
【図５】
0003143019.tif 000007
【図６】
0003143019.tif 000008